(57)【要約】【課題】収容されるシートの後端の位置を規制する後端位置規制部材を備えたシート収容装置であって、後端位置規制部材によりシートの後端を規制していない状態において、シートの先端側を高くしても、シートの後端側への移動を軽減させることができ、これによりシートをうまく供給することができないといった供給不良の発生を抑制することができるシート収容装置及び画像形成装置を提供する。【解決手段】シート収容装置は、収容されるシートの後端の位置を規制する後端位置規制部材を備えている。後端位置規制部材は、シートの後端の位置を規制する規制位置と、規制位置から規制を解除する規制解除位置との間で回動可能な構成とされている。後端位置規制部材を規制解除位置に位置させたときに、後端位置規制部材が該後端位置規制部材に隣接するシート載置面よりも高い。【選択図】図４
2020007119.tif 000002
【特許請求の範囲】
【請求項１】
収容されるシートの後端の位置を規制する後端位置規制部材を備えたシート収容装置であって、
前記後端位置規制部材は、前記シートの後端の位置を規制する規制位置と、前記規制位置から前記規制を解除する規制解除位置との間で回動可能な構成とされており、
前記後端位置規制部材を前記規制解除位置に位置させたときに、前記後端位置規制部材が該後端位置規制部材に隣接するシート載置面よりも高いことを特徴とするシート収容装置。
【請求項２】
請求項１に記載のシート収容装置であって、
前記後端位置規制部材を前記規制解除位置に位置させたときに、前記後端位置規制部材が前記シートの後端側の前記シート載置面よりも高いことを特徴とするシート収容装置。
【請求項３】
請求項１又は請求項２に記載のシート収容装置であって、
前記シートを載置し、且つ、シート供給方向に直交する幅方向に沿った第１回動軸線を中心に回動して載置した前記シートの先端側を上昇させるシート載置トレイを備えており、
前記後端位置規制部材を前記規制解除位置に位置させたときに、前記後端位置規制部材が前記シート載置トレイよりも後側の前記シート載置面よりも高いことを特徴とするシート収容装置。
【請求項４】
請求項３に記載のシート収容装置であって、
前記シートを収容するシート収容部の前記シート供給方向とは反対側の後壁には、当接部が設けられ、
前記後端位置規制部材には、第１係合部が設けられ、
前記シート収容部には、前記後端位置規制部材の前記規制位置を維持するように前記後端位置規制部材における前記第１係合部と係合する第２係合部が設けられており、
前記後端位置規制部材における前記第１係合部が前記後壁における前記当接部に当接することにより前記後端位置規制部材における前記第１係合部の前記シート収容部における前記第２係合部との前記係合が解除され、前記後端位置規制部材が前記規制解除位置に回動することを特徴とするシート収容装置。
【請求項５】
請求項４に記載のシート収容装置であって、
前記シート収容部は、シート収容部本体に対して前記シート供給方向及び前記シート供給方向とは反対方向にスライド自在に設けられたスライド部材を備え、
前記後端位置規制部材は、前記スライド部材に対して前記幅方向に沿った第２回動軸線回りに回動可能に軸支されており、
前記スライド部材には、前記第２係合部が設けられ、
前記後端位置規制部材における前記第１係合部が前記スライド部材における前記第２係合部と係合して前記規制位置を維持するように前記後端位置規制部材の回動を規制することを特徴とするシート収容装置。
【請求項６】
請求項５に記載のシート収容装置であって、
前記当接部は、前記後壁から前記シートの供給側に突出し、且つ、前記シート載置面よりも下側に位置していることを特徴とするシート収容装置。
【請求項７】
請求項６に記載のシート収容装置であって、
前記当接部の突出方向における長さは、前記第１係合部の前記第２係合部との係合部分の前記突出方向における長さよりも大きいとことを特徴とするシート収容装置。
【請求項８】
請求項５から請求項７までの何れか１つに記載のシート収容装置であって、
前記スライド部材には、前記後端位置規制部材を回動可能とする開口部が設けられていることを特徴とするシート収容装置。
【請求項９】
請求項８に記載のシート収容装置であって、
前記スライド部材において前記開口部の前記シートの供給側には、前記後端位置規制部材を傾斜状態にする傾斜面が設けられていることを特徴とするシート収容装置。
【請求項１０】
請求項８又は請求項９に記載のシート収容装置であって、
前記スライド部材において前記開口部の前記シートの供給側とは反対側には、前記後端位置規制部材が起立する起立状態を維持する規制部が設けられていることを特徴とするシート収容装置。
【請求項１１】
請求項１から請求項１０までの何れか１つに記載のシート収容装置を備えることを特徴する画像形成装置。
【発明の詳細な説明】
【技術分野】
【０００１】
本発明は、シート収容装置及びそれを備えた複写機、複合機、プリンター、ファクシミリ装置等の画像形成装置に関する。
【背景技術】
【０００２】
画像形成装置においては、一般的に、記録用紙等のシートを収容するシート収容装置（具体的には給紙カセットや給紙トレイ）を備え、画像形成動作を行うにあたり、シート収容装置に収容されたシートをシート収容装置から１枚ずつ画像形成装置本体に供給し、画像形成装置本体にて画像形成を行う。
【０００３】
シート収容装置の中には、シートの端部を規制する後端位置規制部材を備えたものがある。ここで、後端位置規制部材は、シートのシート供給方向に沿った前後方向における後端部を前後方向に規制する。このようなシート収容装置として、シート収容装置を小型化するという観点から、後端位置規制部材をシート収容装置の本体に着脱可能とし、収納可能な最大サイズのシートを収容する場合、後端位置規制部材を離脱させた状態でシート供給装置の本体の壁面を後端位置規制部材として利用するものが知られている（例えば特許文献１参照）。
【先行技術文献】
【特許文献】
【０００４】
【特許文献１】特開平９−２４０８４７号公報
【発明の概要】
【発明が解決しようとする課題】
【０００５】
しかしながら、特許文献１に記載の構成において、後端位置規制部材によりシートの後端を規制していない状態では、シートの後端の位置の規制が十分ではなく、シート（特に積載したシート）の先端側を高くすると、シートが後端側に移動し、シートの先端が正規の位置よりも後方に移動してしまうことがある。そうすると、シートをシート供給方向に供給する際に、シートをうまく供給することができないといった供給不良が発生する可能性がある。
【０００６】
そこで、本発明は、収容されるシートの後端の位置を規制する後端位置規制部材を備えたシート収容装置であって、後端位置規制部材によりシートの後端を規制していない状態において、シートの先端側を高くしても、シートの後端側への移動を軽減させることができ、これによりシートをうまく供給することができないといった供給不良の発生を抑制することができるシート収容装置及び画像形成装置を提供することを目的とする。
【課題を解決するための手段】
【０００７】
前記課題を解決するために、本発明に係るシート収容装置は、収容されるシートの後端の位置を規制する後端位置規制部材を備えたシート収容装置であって、前記後端位置規制部材は、前記シートの後端の位置を規制する規制位置と、前記規制位置から前記シート側に退避する規制解除位置との間で回動可能な構成とされており、前記後端位置規制部材を前記規制解除位置に位置させたときに、前記後端位置規制部材がシート載置面よりも高いことを特徴とする。また、本発明に係る画像形成装置は、前記本発明に係るシート収容装置を備えることを特徴する。
【発明の効果】
【０００８】
本発明によると、後端位置規制部材によりシートの後端を規制していない状態において、シートの先端側を高くしても、シートの後端側への移動を軽減させることができ、これによりシートをうまく供給することができないといった供給不良の発生を抑制することが可能となる。
【図面の簡単な説明】
【０００９】
【図１】本実施の形態に係る画像形成装置の外観を示す斜視図である。
【図２】本実施の形態に係るシート収容装置を正面側の斜め上方から視た概略斜視図である。
【図３】規制位置に位置している後端位置規制部材２６０がシート収容部の後壁に接近している様子を示す概略斜視図である。
【図４】後端位置規制部材がシート収容部の当接部に当接して規制解除位置に位置している様子を示す斜視図である。
【図５】後端位置規制部材及び後壁部分を正面側の斜め上方から視た斜視図である。
【図６】後端位置規制部材及び後壁部分を背面側の斜め上方から視た斜視図である。
【図７】後端位置規制部材及び後壁部分を正面側の斜め上方から視た斜視図である。
【図８】後端位置規制部材及び後壁部分を背面側の斜め上方から視た斜視図である。
【図９】シート収容装置においてシート載置トレイが最下位置に位置している状態を示す概略斜視図である。
【図１０】シート収容装置においてシート載置トレイが最上位置に位置している状態を示す概略斜視図である。
【図１１】後端位置規制部材及びスライド部材を正面側の斜め下方から視た斜視図である。
【図１２】後端位置規制部材及びスライド部材を正面側の斜め下方から視た分解斜視図である。
【図１３Ａ】後端位置規制部材の規制位置から規制解除位置への第１遷移状態を示す概略断面図である。
【図１３Ｂ】後端位置規制部材の規制位置から規制解除位置への第２遷移状態を示す概略断面図である。
【図１３Ｃ】後端位置規制部材の規制位置から規制解除位置への第３遷移状態を示す概略断面図である。
【図１３Ｄ】後端位置規制部材の規制位置から規制解除位置への第４遷移状態を示す概略断面図である。
【図１３Ｅ】後端位置規制部材の規制位置から規制解除位置への第５遷移状態を示す概略断面図である。
【発明を実施するための形態】
【００１０】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１１】
［画像形成装置の全体構成］
図１は、本実施の形態に係る画像形成装置１００の外観を示す斜視図である。なお、図において、符号Ｘ，Ｙ，Ｚは、それぞれ、画像形成装置１００の長さ方向、奥行方向及び上下方向を示している。
【００１２】
図１に示す画像形成装置１００は、図示しない像担持体（具体的には感光体ドラム）を備え、外部から伝達された画像データに応じて、図示しない記録用紙等のシート（具体的には記録シート）に対して画像を形成する画像形成装置である。画像形成装置１００は、モノクロ画像形成装置であってもよいし、カラー画像形成装置（例えばタンデム型のカラー画像形成装置）であってもよい。
【００１３】
画像形成装置１００は、画像形成装置本体１１０と、画像読取装置１２０とを備えている。画像形成装置本体１１０には、画像形成部１０１とシート搬送系１０２とが設けられている。
【００１４】
画像形成装置１００は、シートを収容するシート収容装置２００（具体的には給紙カセットや給紙トレイ）を備えている。画像形成装置１００は、画像形成動作を行うにあたり、シート収容装置２００に収容されたシートをシート収容装置２００からシート供給部材（具体的にはピックアップローラ２７１、図１では図示せず、後述する図２参照）にて１枚ずつ画像形成装置本体１１０に供給し、画像形成装置本体１１０にて画像形成を行う。
【００１５】
［シート収容装置］
図２は、本実施の形態に係るシート収容装置２００を正面側の斜め上方から視た概略斜視図である。図３は、規制位置に位置している後端位置規制部材２６０がシート収容部２４０の後壁２４０ｂに接近している様子を示す概略斜視図である。図４は、後端位置規制部材２６０がシート収容部２４０の当接部２４０ｃに当接して規制解除位置に位置している様子を示す斜視図である。図５及び図６は、それぞれ、後端位置規制部材２６０及び後壁２４０ｂ部分を正面側及び背面側の斜め上方から視た斜視図である。図７及び図８は、それぞれ、後端位置規制部材２６０及び後壁２４０ｂ部分を正面側及び背面側の斜め上方から視た斜視図である。図９は、シート収容装置２００においてシート載置トレイ２２０が最下位置に位置している状態を示す概略斜視図である。また、図１０は、シート収容装置２００においてシート載置トレイ２２０が最上位置に位置している状態を示す概略斜視図である。
【００１６】
（本実施の形態）
シート収容装置２００は、幅規制部材２５０，２５０及び後端位置規制部材２６０を備えている。幅規制部材２５０，２５０は、シートのシート供給方向Ｗ１に直交するシート面に沿った幅方向Ｈにおける両端部を幅方向Ｈに規制する。後端位置規制部材２６０は、シートのシート供給方向Ｗ１に沿った前後方向Ｎにおける後端を前後方向Ｎに規制する。また、シート収容装置２００は、スライド部材２３０を備えている。スライド部材２３０は、シート収容部２４０（具体的には筐体）に対して底部材２４０ａに沿って移動自在に設けられている。
【００１７】
シート収容装置２００は、シートを載置するシート載置トレイ２２０を備えている。シート載置トレイ２２０は、シート供給方向Ｗ１に直交する幅方向Ｈに沿った第１回動軸線α（図９参照）を中心に回動して載置したシートの先端側を上昇させる。詳しくは、シート収容装置２００は、シート載置トレイ２２０とシート収容部２４０の底部材２４０ａとの間に設けられた巻バネ等の付勢部材ＳＰ（図１０参照）により、シート載置トレイ２２０を押し上げる。これにより、シート載置トレイ２２０に載置したシートの先端側を高くすることができる。
【００１８】
そして、後端位置規制部材２６０は、シートの後端の位置を規制する規制位置（図３、図５から図８参照）と、規制位置からシート側に退避する規制解除位置（図４参照）との間で回動可能な構成とされている。後端位置規制部材２６０を規制解除位置に位置させたときに、後端位置規制部材２６０が後端位置規制部材２６０に隣接するシート載置面Ｓよりも高い（図４参照）。なお、後端位置規制部材２６０の回動可能な構成は、後端位置規制部材２６０を規制位置から回転させて規制解除位置に位置させることが可能な構成である。
【００１９】
本実施の形態によれば、後端位置規制部材２６０を規制解除位置に位置させたときに、後端位置規制部材２６０が後端位置規制部材２６０に隣接するシート載置面Ｓよりも高いので、後端位置規制部材２６０によりシートの後側を押し上げることができる。そうすると、シートの後端側への移行を抑えることができる。従って、後端位置規制部材２６０によりシートの後端を規制していない状態において、シート（特に積載したシート）の先端側を高くしても、シートの後端側への移動を軽減させることができる。これによりシートをうまく供給することができないといった供給不良の発生を抑制することができる。
【００２０】
（第１の実施形態）
後端位置規制部材２６０を規制解除位置に位置させたときに、後端位置規制部材２６０がシートの後端側のシート載置面Ｓよりも（例えば１ｍｍ以上）高い。
【００２１】
こうすることで、シートの後端側を押し上げることができ、シートの後端側への移行をさらに抑えることができる。従って、後端位置規制部材２６０によりシートの後端を規制しない状態において、シートの先端側を高くしても、シートの後端側への移動をさらに軽減させることができる。これによりシートをうまく供給することができないといった供給不良の発生をさらに抑制することができる。
【００２２】
（第２の実施形態）
後端位置規制部材２６０を規制解除位置に位置させたときに、後端位置規制部材２６０がシート載置トレイ２２０よりも後側のシート載置面よりも高い。
【００２３】
こうすることで、シート載置トレイ２２０上に載置したシートの後端側を押し上げることができ、シートの後端側への移行をさらに抑えることができる。従って、後端位置規制部材２６０によりシート載置トレイ２２０上に載置したシートの後端を規制しない状態において、シートの先端側を高くしても、シートの後端側への移動をさらに軽減させることができる。これによりシートをうまく供給することができないといった供給不良の発生をさらに抑制することができる。
【００２４】
（第３の実施形態）
シートを収容するシート収容部２４０のシート供給方向Ｗ１とは反対側の後壁２４０ｂには、当接部２４０ｃが設けられている。当接部２４０ｃは、後壁２４０ｂの内側の側面に一体的に形成されている。後端位置規制部材２６０には、第１係合部２６１が設けられている。シート収容部２４０には、後端位置規制部材２６０の規制位置を維持するように後端位置規制部材２６０における第１係合部２６１と係合する第２係合部２３１が設けられている。
【００２５】
そして、後端位置規制部材２６０における第１係合部が後壁２４０ｂにおける当接部２４０ｃに当接することにより後端位置規制部材２６０における第１係合部２６１のシート収容部２４０における第２係合部２３１との係合が解除され、後端位置規制部材２６０が規制解除位置に回動する。
【００２６】
こうすることで、後端位置規制部材２６０における第１係合部２６１が当接部２４０ｃに当接することにより規制位置での後端位置規制部材２６０における第１係合部２６１のシート収容部２４０における第２係合部２３１との係合を容易に解除することができる。従って、後端位置規制部材２６０を規制位置から簡単に規制解除位置に回動させることができる。これにより、後端位置規制部材２６０を規制位置から規制解除位置への回動動作を容易に実現させることができる。
【００２７】
シート収容部２４０は、シート収容部本体２４１に対してシート供給方向Ｗ１及びシート供給方向Ｗ１とは反対方向Ｗ２（前後方向Ｎ）にスライド自在に設けられたスライド部材２３０を備えている。
【００２８】
シート収容部２４０における底部材２４０ａには、スライド部材２３０を移動させるためのスリット部２４０ｄが設けられている。スリット部２４０ｄは、前後方向Ｎにおいてシート収容部２４０の後壁２４０ｂまで延びている。スリット部２４０ｄの互いに対向する対向面には、前後方向Ｎの沿って延びる凹部２４０ｅ，２４０ｅが形成されている。スライド部材２３０のスリット部２４０ｄに対向する両側面には、前後方向Ｎの沿って延びる凸部２３０ａ，２３０ａが形成されている。スライド部材２３０における凸部２３０ａ，２３０ａは、スリット部２４０ｄにおける凹部２４０ｅ，２４０ｅに挿通される。これにより、スライド部材２３０は、シート収容部本体２４１に対して前後方向Ｎに円滑にスライドすることができる。
【００２９】
後端位置規制部材２６０は、スライド部材２３０に対して幅方向Ｈに沿った第２回動軸線β（図７参照）回りに回動可能に軸支されている。また、スライド部材２３０には、第２係合部２３１が設けられている。
【００３０】
当接部２４０ｃは、後壁２４０ｂのスリット部２４０ｄ内の幅方向Ｈにおける中央部に設けられている。
【００３１】
図１１及び図１２は、それぞれ、後端位置規制部材２６０及びスライド部材２３０を正面側の斜め下方から視た斜視図及び分解斜視図である。
【００３２】
図１１及び図１２に示すように、シート収容装置２００では、後端位置規制部材２６０における第１係合部２６１がスライド部材２３０における第２係合部２３１と係合して規制位置を維持するように後端位置規制部材２６０の回動を規制する。
【００３３】
詳しくは、後端位置規制部材２６０は、スライド部材２３０に着脱可能に設けられている。後端位置規制部材２６０には、軸支される側において幅方向Ｈにおける両端部の支持部領域２６２，２６２と、幅方向Ｈにおける中央部の係合部領域２６３とに所定の間隔ｄ，ｄをおいて分割されている。後端位置規制部材２６０は、樹脂等の弾性部材で形成されている。これにより、後端位置規制部材２６０において支持部領域２６２，２６２を幅方向Ｈに撓ませ、かつ、係合部領域２６３を前後方向Ｎに撓ませることができる。支持部領域２６２，２６２の幅方向Ｈにおける両外側の側面には、幅方向Ｈにおける外方に突出した軸部２６２ａ，２６２ａが設けられている。係合部領域２６３の下端には、シート供給方向Ｗ１とは反対方向Ｗ２に突出した第１係合部２６１が設けられている。スライド部材２３０のシート供給方向Ｗ１とは反対側の幅方向Ｈにおける両端部には、支持部領域２６２，２６２における軸部２６２ａ，２６２ａを係入する係入孔２３０ｂ，２３０ｂが設けられている。また、スライド部材２３０における係入孔２３０ｂ，２３０ｂ間には、第２係合部２３１が設けられている。第１係合部２６１及び第２係合部２３１の互いに摺接する部分の角部はＲ形状又は面取りされている。
【００３４】
ここで、後端位置規制部材２６０をスライド部材２３０に装着するときには、後端位置規制部材２６０の支持部領域２６２，２６２を幅方向Ｈにおける内側に弾性変形させた状態で軸部２６２ａ，２６２ａをスライド部材２３０における係入孔２３０ｂ，２３０ｂに位置させる。その後、支持部領域２６２，２６２の幅方向Ｈにおける内側への弾性変形を解除し、軸部２６２ａ，２６２ａを係入孔２３０ｂ，２３０ｂに係入する。また、このとき、後端位置規制部材２６０の係合部領域２６３をシート供給方向Ｗ１に弾性変形させた状態で第１係合部２６１をスライド部材２３０における第２係合部２３１に位置させる。その後、支持部領域２６２，２６２のシート供給方向Ｗ１への弾性変形を解除し、第１係合部２６１を第２係合部２３１に係合させる。そして、後端位置規制部材２６０は、第１係合部２６１の第２係合部２３１との係合が解除されると、自重で軸部２６２ａ，２６２ａ（第２回動軸線β）回りのシート供給側へ倒れるようになっている。なお、後端位置規制部材２６０をスライド部材２３０から離脱させるときには、前述した動作を逆の手順で行う。
【００３５】
図１３Ａから図１３Ｅは、後端位置規制部材２６０が規制位置から規制解除位置に回動する様子を示す概略断面図である。
【００３６】
以上説明したシート収容装置２００では、後端位置規制部材２６０における第１係合部２６１がスライド部材２３０における第２係合部２３１に係合された状態では後端位置規制部材２６０の規制位置で維持されている。そして、スライド部材２３０を後壁２４０ｂに向けて（シート供給方向Ｗ１とは反対方向Ｗ２に）移行させると、後端位置規制部材２６０における第１係合部２６１が後壁２４０ｂにおける当接部２４０ｃに当接し（図１３Ａ参照）、スライド部材２３０をさらに後壁２４０ｂ側に移行させると、当接部２４０ｃにより後端位置規制部材２６０における係合部領域２６３がシート供給方向Ｗ１に弾性変形する（図１３Ｂ参照）。そうすると、規制位置での後端位置規制部材２６０における第１係合部２６１のスライド部材２３０における第２係合部２３１との係合が解除され（図１３Ｃ参照）、後端位置規制部材２６０が自重でシート供給側へ倒れ（図１３Ｄ参照）、後端位置規制部材２６０が規制解除位置に回動する（図１３Ｅ参照）。このとき、後端位置規制部材２６０の上端２６０ａが後端位置規制部材２６０に隣接するシート載置面Ｓよりも所定量ｈ（例えば１ｍｍ〜２ｍｍ程度）上方へ突出している。
【００３７】
このようにシート収容装置２００では、後端位置規制部材２６０を後壁２４０ｂに向けて移行させるという簡単な動作により後端位置規制部材２６０を規制位置から簡単に規制解除位置に位置させることができる。これにより、後端位置規制部材２６０の規制位置から規制解除位置への回動動作をさらに容易に実現させることができる。
【００３８】
一方、後端位置規制部材２６０を規制解除位置から規制位置に回動させるときには、スライド部材２３０をシート供給側へ移動させ、後端位置規制部材２６０を規制解除位置から規制位置に回動させる。このとき、後端位置規制部材２６０における係合部領域２６３がシート供給方向Ｗ１に弾性変形しつつ後端位置規制部材２６０における第１係合部２６１がスライド部材２３０における第２係合部２３１に摺接する。その後、後端位置規制部材２６０における第１係合部２６１がスライド部材２３０における第２係合部２３１に係合され、後端位置規制部材２６０が規制位置で保持される。
【００３９】
このようにシート収容装置２００では、スライド部材２３０をシート供給側へ移動させた状態で後端位置規制部材２６０を規制解除位置から規制位置に回動させるという簡単な動作により後端位置規制部材２６０を規制解除位置から簡単に規制位置に位置させることができる。
【００４０】
また、当接部２４０ｃは、後壁２４０ｂからシートの供給側に突出した突起部である。当接部２４０ｃは、シート載置面Ｓよりも下側に位置している。こうすることで、後壁２４０ｂからシートの供給側に突出させるという簡単な構成の当接部２４０ｃとの第１係合部２６１の当接により第１係合部２６１の第２係合部２３１との係合を容易に解除することができる。しかも、当接部２４０ｃをシート載置面Ｓよりも下側に位置させることで、シートをシート収容部２４０に収容する際に当接部２４０ｃが邪魔になることがない。
【００４１】
また、当接部２４０ｃの突出方向（前後方向Ｎ）における長さＬ１（図１３Ａ参照）は、第１係合部２６１の第２係合部２３１との係合部分の突出方向（前後方向Ｎ）における長さＬ２（図１３Ａ参照）よりも大きい。こうすることで、当接部２４０ｃとの第１係合部２６１の当接により第１係合部２６１の第２係合部２３１との係合を確実に解除することができる。
【００４２】
また、スライド部材２３０には、後端位置規制部材２６０を回動可能とする開口部２３２が設けられている。こうすることで、後端位置規制部材２６０の回動すべき回動動作を円滑に行うことができる。開口部２３２は、後端位置規制部材２６０の形状に応じた形状に形成されている。この例では、後端位置規制部材２６０及び開口部２３２は、四角形状とされている。
【００４３】
また、スライド部材２３０において開口部２３２のシートの供給側には、後端位置規制部材２６０を傾斜状態にする傾斜面２３３が設けられている。こうすることで、後端位置規制部材２６０が規制解除位置に位置しているときに後端位置規制部材２６０の傾斜状態を維持させることができる。これにより、後端位置規制部材２６０の規制解除位置を安定的に維持させることができる。ここで、後端位置規制部材２６０の傾斜状態は、後端位置規制部材２６０のシート供給側がシート供給側とは反対側よりも高い傾斜状態である。
【００４４】
また、スライド部材２３０において開口部２３２のシートの供給側とは反対側には、後端位置規制部材２６０が起立する起立状態を維持する規制部２３４が設けられている。こうすることで、シート収容部２４０は、後端位置規制部材２６０がスライド部材２３０における規制部２３４に当接して起立状態を維持するように後端位置規制部材２６０の回動を規制することができる。そして、後端位置規制部材２６０が起立状態のときに後端位置規制部材２６０の規制位置を維持させることができる。これにより、後端位置規制部材２６０の規制位置を安定的に維持させることができる。この例では、規制部２３４は、スライド部材２３０における開口部２３２のシートの供給側の内側面とされている。
【００４５】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００４６】
１００    画像形成装置
２００    シート収容装置
２２０    シート載置トレイ
２３０    スライド部材
２３０ａ  凸部
２３０ｂ  係入孔
２３１    第２係合部
２３２    開口部
２３３    傾斜面
２３４    規制部
２４０    シート収容部
２４０ａ  底部材
２４０ｂ  後壁
２４０ｃ  当接部
２４０ｄ  スリット部
２４０ｅ  凹部
２４１    シート収容部本体
２５０    幅規制部材
２６０    後端位置規制部材
２６０ａ  上端
２６１    第１係合部
２６２    支持部領域
２６２ａ  軸部
２６３    係合部領域
Ｈ        幅方向
Ｎ        前後方向
Ｓ        シート載置面
ＳＰ      付勢部材
Ｗ１      シート供給方向
Ｗ２      反対方向
ｄ        間隔
ｈ        所定量
α        第１回動軸線
β        第２回動軸線
【図１】
2020007119.tif 000003
【図２】
2020007119.tif 000004
【図３】
2020007119.tif 000005
【図４】
2020007119.tif 000006
【図５】
2020007119.tif 000007
【図６】
2020007119.tif 000008
【図７】
2020007119.tif 000009
【図８】
2020007119.tif 000010
【図９】
2020007119.tif 000011
【図１０】
2020007119.tif 000012
【図１１】
2020007119.tif 000013
【図１２】
2020007119.tif 000014
【図１３Ａ】
2020007119.tif 000015
【図１３Ｂ】
2020007119.tif 000016
【図１３Ｃ】
2020007119.tif 000017
【図１３Ｄ】
2020007119.tif 000018
【図１３Ｅ】
2020007119.tif 000019